(57)【特許請求の範囲】
【請求項１】
キャップを備えた容器の口頸部の外周面上方に雄ねじを設け、該口頸部の外周面下方に、前記口頸部の軸方向に伸びる垂直状外面と該垂直状外面に連続する円弧状外面とを備えた逆転防止突起を設け、該逆転防止突起の垂直状外面を逆転防止係止部とし、前記雄ねじに螺合する雌ねじを前記キャップの内周面に設け、該キャップの下部に弱化連結部を介して固定リングを連結し、該固定リングの内周面に、前記キャップを封緘する方向に回転させると前記逆転防止突起を乗り越え前記逆転防止係止部に係止する係止突部を設けた容器であって；
前記逆転防止突起の先端部に、前記固定リングの落下をガイドする落下ガイド縦溝を設け、該落下ガイド縦溝の上端側に上段係止部を設け、前記固定リングの内周面に、前記キャップの回転により前記落下ガイド縦溝に挿入され、前記上段係止部に係止する内向き突起を設けたことを特徴とする容器。
【請求項２】
上段係止部が、逆転防止突起の上端側に位置していることを特徴とする請求項１記載の容器。
【請求項３】
落下ガイド縦溝が、下段係止部を備えていることを特徴とする請求項１記載の容器。
【請求項４】
下段係止部が、逆転防止突起の下端側に位置していることを特徴とする請求項３記載の容器。
【請求項５】
内向き突起が、周方向に間隔をおいて形成され、該円周方向に伸びる複数の円弧状突起部から構成されていることを特徴とする請求項１記載の容器。
【請求項６】
円弧状突起部の後端は、係止突部に連続し、その先端は、前記円弧状突起部の小突出部分、又は、欠落部分である抜出部に連続していることを特徴とする請求項５記載の容器。
【請求項７】
複数の円弧状突起部の突出量は、異なることを特徴とする請求項５記載の容器。
【請求項８】
キャップの固定リングを成形するスライドコア、の摺動方向の円弧状突起部の突出量は、他の円弧状突起部の突出量より大きいことを特徴とする請求項７記載の容器。
【発明の詳細な説明】
【０００１】
【発明の属する技術分野】
この発明は、キャップが螺着される容器に関するものであり、更に述べると、キャップの逆転防止機能、抜け出し防止機能及び不正開封検知機能を備えた容器に関するものである。
【０００２】
【従来の技術】
容器に螺着されたキャップは、逆転して外れたり、又は、抜け出したり、或いは、不正に開封されたりすることがある。
そこで、このような問題を解決するするため、次の様な容器が用いられている（実公平７−３８１６５号参照）。
口頸部の外周面下方に逆転防止突起を設け、該逆転防止突起の端部に逆転防止係止部を設け、該逆転防止突起の下端を抜け防止段部とし、該口頸部に螺着されるキャップの下部に破断可能な連結部を介して固定リングを連結し、該固定リングに前記逆転防止突起を乗り越えて逆転防止係止部に係止する係止突起を設け、前記抜け出し防止段部に係止する内向き突部を設けた容器。
【０００３】
【発明が解決しようとする課題】
従来例では、抜け出し防止段部が逆転防止突起の下端に設けられている。そのため、該下端にキャップの内向き突起が係止すると、固定リングは口頸部の基端部、即ち、容器本体の肩部に当接してしまうので、不正開封により連結部が切断されても固定リングは落下せず、変位しない。従って、再びキャップを口頸部に螺合すると、固定リングの位置は変化しないので、連結部が切れているか否か、即ち、不正開封されたか否かを明確に知ることが困難である。
【０００４】
そこで、この問題を解決するため、口頸部を長くすることも考えられるが、このようにすると容器が大きくなるとともに、外観上も好ましくない。
【０００５】
又、前記内向き突起は、円環状に形成され、前記抜け出し防止段部に入り込んで係止している。そのため、分別回収の際、固定リングを指で押してもなかなか抜けないので、結局プライヤ等の器具を用いて引き抜かなければならなくなる。従って、分別作業が面倒であると共に、作業能率が悪い。
【０００６】
更に、前記キャップは、固定リングを成形するスライドコアを含む、金型を用いて射出成形されるが、離型の際、固定リングをスライドコアで支えながらキャップを抜き出すので、該スライドコアの摺動量は、大きく規制される。そのため、内向き突起が金型から抜けにくくなるので、大きな力を加えて引っ張ることになる。そうすると、キャップの破損の問題が発生する。
【０００７】
本発明は、上記事情に鑑み、確実に不正開封がわかるようにすることを目的とする。他の目的は、固定リングが分別回収前には容器口部から外れにくく、又、分別回収の際には、容易に外れるようにすることである。更に他の目的は、内向き突起の離型性の向上を図ることである。
【０００８】
【課題を解決するための手段】
この発明は、キャップを備えた容器の口頸部の外周面上方に雄ねじを設け、該口頸部の外周面下方に、前記口頸部の軸方向に伸びる垂直状外面と該垂直状外面に連続する円弧状外面とを備えた逆転防止突起を設け、該逆転防止突起の垂直状外面を逆転防止係止部とし、前記雄ねじに螺合する雌ねじを前記キャップの内周面に設け、該キャップの下部に弱化連結部を介して固定リングを連結し、該固定リングの内周面に、前記キャップを封緘する方向に回転させると前記逆転防止突起を乗り越え前記逆転防止係止部に係止する係止突部を設けた容器であって；前記逆転防止突起の先端部に、前記固定リングの落下をガイドする落下ガイド縦溝を設け、該落下ガイド縦溝の上端側に上段係止部を設け、前記固定リングの内周面に、前記キャップの回転により前記落下ガイド縦溝に挿入され、前記上段係止部に係止する内向き突起を設けたことを特徴とする。
【０００９】
この発明の上段係止部は、逆転防止突起の上端側に位置していることを特徴とする。この発明の落下ガイド縦溝は、下段係止部を備えていることを特徴とする。この発明の下段係止部は、逆転防止突起の下端側に位置していることを特徴とする。
【００１０】
この発明は、内向き突起が、周方向に間隔をおいて形成され、該円周方向に伸びる複数の円弧状突起部から構成されていることを特徴とする。この発明の円弧状突起部の後端は、係止突部に連続し、その先端は、前記円弧状突起部の小突出部分、又は、欠落部分である抜出部に連続していることを特徴とする。
【００１１】
この発明の複数の円弧状突起部の突出量は、異なることを特徴とする。この発明の、キャップの固定リングを成形するスライドコア、の摺動方向の円弧状突起部の突出量は、他の円弧状突起部の突出量より大きいことを特徴とする。
【００１２】
【発明の実施の形態】
本発明者は、口頸部を長くせずに、不正開封時に固定リングが確実に落下するようにするには、どうすればよいかを検討し実験を重ねた。
その結果、逆転防止突起の先端部に落下ガイド縦溝を形成するば良いことがわかった。
【００１３】
この縦溝は、逆転防止突起の上面側に上段係止部が設けられ、キャップの内向き突起はこの上段係止部に係止する。そして、不正開封時に弱化連結部が切断されると、固定リングは落下ガイド縦溝に沿って確実に落下するので、固定リングの変位を確実に認識することができる。
【００１４】
なお、弱化連結部が切断された時に、確実に固定リングが落下できればよいので、落下ガイド縦溝の下端を逆転防止突起の下端まで伸ばし、下段係止部を省略しても良い。
【００１５】
本発明者は、分別回収の際、固定リングが外れにくいのは、内向き突起が固定リングの全周に亘って形成されていることに原因があるものと考えた。
そこで、固定リングの内向き突起を複数の円弧状突起部により構成すると共に、各円弧状突起部の後端を係止突部に連続させ、先端を抜出部に連続させた。このようにすると、固定リングを所定方向に回し、抜出部を落下ガイド縦溝に対向させると、該固定リングを容易に抜き出すことができる。
なお、前記円弧状突起部は、一個でも良く、また、前記円弧状突起部は、必ずしも係止突部に接続している必要はなく、例えば、少し離れていても良い。
【００１６】
本発明者は、キャップを射出成形し、型開きする場合、固定リングを成形するスライドコアの開き幅が、該スライドコアの摺動方向の部分が、その他の方向の部分に比べて大きいことに気がついた。そこで、スライド方向に位置する円弧状突起部の突出量を、他の方向に位置する円弧状突起部より大きくし、開き幅と突出量が対応するようにし、離型性の向上を図った。
【００１７】
【実施例】
この発明の第１実施例を図１〜図６により説明する。
容器１の口頸部２の上部外周面には、雄ねじ３が設けられ、その下部には、逆転防止突起５が設けられている。
【００１８】
この逆転防止突起５は、垂直状外面ＶＦと、垂直状外面ＶＦに連続する円弧状外面ＣＦと、逆転防止係止部６と、落下ガイド縦溝７とを備えている。
この逆転防止係止部６は、該突起５の垂直状外面ＶＦに形成され、又、落下ガイド縦溝７は上段係止部７ａと下段係止部７ｂとを備えている。
【００１９】
上段係止部７ａは該突起５の上端側に形成され、下段係止部７ｂは前記上端と下端５ｂとの中間に位置している。この下段係止部７ｂの位置は必要に応じて適宜選択され、例えば、下端５ｂ側に形成しても良いが、更には、この下段係止部７ｂを省略し、落下ガイド縦溝７を該突起５の下端５ｂまで伸ばしても良い。
【００２０】
キャップ１０の内周面上部には、前記雄ねじ３と螺合する雌ねじ１３が設けられ、該キャップ１０の下部には、弱化連結部１４を介して固定リング１５が連結されている。
【００２１】
固定リング１５の内周面には、前記逆転防止係止部６に係止する係止突部１６と、前記上段係止部７ａに係止する内向き突起１７が設けられている。
【００２２】
次に、本実施例の作動について説明する。
キャップ１０を所定方向に回して容器１の口頸部２に螺着し封緘すると、固定リング１５の係止突部１６は逆転防止突起５を乗り越えて逆転防止係止部６側に移動し、又、内向き突起１７は落下ガイド縦溝７の上段係止部７ａに係止する。
【００２３】
このキャップ１０を前記と逆方向に回転させて開封すると、弱化連結部１４が引っ張られて固定リング１５が回転するが、その途中において該係止突部１６が前記逆転防止係止部６に当接するため、それ以上回転できなくなる。そのため、弱化連結部１４が切断され、固定リング１５は、落下ガイド縦溝７に沿って落下する。そして、内向き突起１７が下段係止部７ｂに当接すると、該固定リング１５の落下は停止する。この時、固定リング１５の位置は、元の位置から距離Ｈ、即ち、落下ガイド縦溝の長さだけ、離れている。
【００２４】
キャップ１０を、再び容器１の口頸部２に螺着すると、固定リング１５の位置は、元の位置から距離Ｈ、離れているので、不正開封があったことを確実に知ることができる。
【００２５】
キャップ１０を外して内容物をコップ等に注ぐときには、該容器１を傾けるが、固定リング１０の内向き突起１７は、落下ガイド縦溝７の上段係止部７ａに係止するので、固定リング１０が該容器１から脱落し、前記コップ内に入り込むことはない。
分別回収時には、固定リング１５を所定方向に回転、例えば、時計方向に２０度位回転させる。そうすると、前記内向き突起１７が落下ガイド縦溝７から外れるので、固定リング１５を指で上方に押し押し上げると、容易に口頸部２から外れる。
【００２６】
この発明の第２実施例を図７〜図９により説明するが、図１〜図６と同一図面符号は、その名称も機能も同一である。
この実施例と第１実施例との相違点は、主に内向き突起にあるので、以下これに関して詳細に説明する。
【００２７】
キャップ１０は、金型２０に溶融した合成樹脂を射出することにより形成される。この金型２０は、スライドコア２１と、ストリッパブッシュ２２と、コアブッシュ２３と、ネジコア２５とを備えている。
前記スライドコア２１はキャップ１０の固定リング１５の外面を形成する部材、前記ストリッパブッシュ２２は固定リング１５の下面を形成する部材、コアブッシュ２３は固定リング１５の内面及び内向き突起１７を形成する部材、ネジコア２３はコアブッシュ２３の内側に設けられ、キャップ１０の天板を形成する部材、である。
【００２８】
このコアブッシュ２３には、第１凹部と第２凹部とが設けられている。この第１凹部は、係止突部１６を形成するためのもので、円周方向に間隔をおいて複数設けられている。前記第２凹部は、内向き突起１７を構成する円弧状突起部１７ａ、１７ｂ、１７ｃを形成するためのもので、円周方向に間隔をおいて複数設けられている。
【００２９】
前記第２凹部の後端は、前記第１凹部に連続しているが、その先端は、隣接する第１凹部から離れている。
又、複数の第２凹部の内、スライドコア２１の摺動方向Ａ２１に位置する第２凹部の幅は、他の第２凹部の幅より大きく形成されている。
【００３０】
図示しない射出装置を駆動して、溶融状態の合成樹脂をゲートＧから金型２０内に射出すると、キャップ１０が成形され、固定リング１５の内周面には、複数の係止突部１６と円弧状突起部１７ａ、１７ｂ、１７ｃが形成される。
【００３１】
この時、スライドコア２１の摺動方向Ａ２１に位置する円弧状突起部１７ａの突出量ｔ1は、他の円弧状突起部１７ｂ、１７ｃの突出量t2、t3より大きく、例えば、t1＝0,6mmであり、又、円弧状突起部１７ｂの突出量t2は、円弧状突起部１７ｃの突出量t3より大きく、例えば、t2=0,5mm、t3=0,4mm、である。
【００３２】
円弧状突起部１７ａ〜１７ｃの後端１７ｋは、係止突部１６に連続し、その先端１７ｓは抜出部２４を介して隣り合う係止突部１６に連続している。
この抜出部２４は、円弧状突起部の欠落部分であり、落下ガイド縦溝７の周方向の幅より大きく形成されている。なお、円弧状突起部１７ａ〜１７ｃの先端部は、係脱の円滑化を図るため、円弧面に形成されている。
【００３３】
金型２０内のキャップ１０が冷えて固まったら、金型２０を開いて該キャップ１０を取り出す。
この時、スライドコア２１は、矢印Ａ２１方向に摺動するが、該キャップ１０をスライドコア２１で支持しなければ、ネジコア２５が回転してキャップ１０から離型する際にキャップ１０が共廻りする。よって、スライドコア２１を固定リング１５から完全に分離することが出来ないのである。
【００３４】
そこで、所定距離ｗ、例えば、w=0,75mm、摺動させて、図９に示すような状態にするので、固定リング１５の外周面１５ｍとスライドスコア２１の内周面２１ｎとの間の間隔、即ち、開き幅ｓは、不均一になる。
【００３５】
開き幅ｓは、矢印Ａ２１方向、即ち、円弧状突起部１７ａ側が、一番大きく、例えば、例えば、ｓ1＝0.74mm、であり、他の円弧状突起部１７ｂ側は、例えば、s2=0.60mm、円弧状突起部１７ｃ側は、例えば、s3=0.43mm、である。
【００３６】
しかし、前述のように、円弧状突起部１７ａ〜１７ｃの突出量ｔ1〜t3は、それぞれ異なり、各突出量t1〜t3は、開き幅s1〜s3に対応しているので、離型を円滑に行うことができる。
【００３７】
分別回収時には、固定リング１５を所定方向に回転、例えば、時計方向に２０度位回転させる。そうすると、前記円弧状突起部１７ａ，１７ｂ、１７ｃが落下ガイド縦溝７から外れ、抜出部２４が該落下ガイド縦溝７と対向する。この状態において、固定リング１５を指で上方に押し押し上げると、口頸部２から外れるので、器具等を使用しなくても容易に分別回収することが出来る
【００３８】
この発明の第３実施例を図１０、図１１により説明するが、図７〜図９と同一図面符号は、その名称も機能も同一である。
この実施例と第２実施例との相違点は、主に内向き突起１７を構成する円弧状突起部１７ａを点対称に２個だけ設けたことであるが、この円弧状突起部１７ａの突出量は、必要に応じて適宜選択される。
なお、この実施例では、内向き突起１７は、固定リング１５の下面側に設けられている。
【００３９】
この発明の第４実施例を図１２により説明するが、図１０、図１１と同一図面符号は、その名称も機能も同一である。
この実施例と第３実施例との相違点は、内向き突起１７を構成する円弧状突起部が、６本設けられており、かつ、各円弧状突起部１７ｘ、１７ｙ、１７ｚは、隣接する係止突起部１６、１６間に亘って延びていることである。
この円弧状突起部１７ｘ、１７ｙ、１７ｚの先端１７ｓ側の突出量は、後端１７ｋの突出量に比べて極端に少ない小突起部分となるので、この先端１７ｓ側が抜出部の機能を持つことになる。
【００４０】
この発明の実施例は、上記に限定されるものではなく、例えば、円弧状突起部の後端を係止突部に連続させる代わりに、両者を少し離しても良く、又、円弧状突起部は、複数設ける代わりに、一個だけ設けても良い。
【００４１】
【発明の効果】
この発明は、落下ガイド縦溝を備えているので、弱化連結部が切断されると、内向き突起は前記落下ガイド縦溝に沿って移動し、固定リングは確実に落下する。そのため、再びキャップを口頸部に螺着すると、固定リングは元の位置より下方に位置し、キャップの下端から大きく離れるので、不正開封があったことを確実に知ることができる。
また、キャップを外して内容物をコップ等に注ぐときに、該容器を傾けても、固定リングの内向き突起が落下ガイド縦溝の上段係止部に係止するので、固定リングが該容器から脱落し、前記コップ内に入り込むことはない。
【００４２】
この発明の内向き突起は、抜出部を備えているので、分別回収時に固定リングを所定方向に回し、該抜出部を落下ガイド縦溝に対向させると、容易に外すことができる。
【００４３】
この発明の複数の円弧状突起部の内、スライドコアの摺動方向の円弧状突起部の突出量は、他の円弧状突起部のそれより大きいので、金型の開き幅に対応した突出量となる。そのため、離型を円滑に行うことができると共に、確実に係止状態を維持することができる。
【図面の簡単な説明】
【図１】本発明の第１実施例を示す容器の平面図である。
【図２】図１のII-II線断面拡大図である。
【図３】キャップの一部断面正面図である。
【図４】キャップの底面図である。
【図５】容器にキャップを装着した状態の拡大縦断面である。
【図６】図５のVI-VI線断面図の縮小図である。
【図７】本発明の第２実施例を示す拡大縦断面であり、図５に対応する図である。
【図８】キャップの製造装置の縦断面図である。
【図９】図８のIX-IX線拡大断面図の要部を示す図である。
【図１０】本発明の第３実施例を示す縦断面図であり、図５に対応する図である。
【図１１】キャップの底面図である。
【図１２】本発明の第４実施例を示す底面図で、図１１に対応する図である。
【符号の説明】
１    容器
２    口頸部
３    雄ねじ
５    逆転防止突起
６    逆転防止係止部
７    落下ガイド縦溝
１０  キャップ
１３  雌ねじ
１４  弱化連結部
１５  固定リング
１６  係止突部
１７  内向き突起
１７ａ円弧状突起部
１７ｂ円弧状突起部
１７ｃ円弧状突起部
２０  金型
２１  スライドコア
２４  抜出部
【図１】
0004481555.tif 000002
【図２】
0004481555.tif 000003
【図３】
0004481555.tif 000004
【図４】
0004481555.tif 000005
【図５】
0004481555.tif 000006
【図６】
0004481555.tif 000007
【図７】
0004481555.tif 000008
【図８】
0004481555.tif 000009
【図９】
0004481555.tif 000010
【図１０】
0004481555.tif 000011
【図１１】
0004481555.tif 000012
【図１２】
0004481555.tif 000013